【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】データ処理装置およびデータ処理方法およびデータ処理装置の制御方法およびコンピュータが読み出し可能なプログラムを格納した記憶媒体


【手続補正２】
【補正対象書類名】明細書
【補正対象項目名】特許請求の範囲
【補正方法】変更
【補正の内容】
【特許請求の範囲】
【請求項１】
所定の通信媒体上に接続された各種の機器とデータ通信可能なデータ処理装置であって、
各種の機器との通信により前記各機器の機能情報並びに接続情報およびステータスを取得する取得手段と、
前記取得手段により取得された前記各機器の機能情報並びに接続情報およびステータスを記憶管理する管理手段と、
前記管理手段に記憶管理される接続情報およびステータスに基づきシステム構成をアイコンで表示部に表示させるシステム表示手段と、
前記表示部に表示された任意のアイコンの組み合わせを指示する指示手段と、
前記指示手段により指示された組み合わせに基づく組み合わせ機能設定画面を表示するとともに、前記指示手段により指示された機器の拡張機能を含む構成イメージを、前記管理手段に記憶管理される機能情報に基づいて前記組み合わせ機能設定画面上に表示する機能設定画面表示手段と、
前記機能設定画面表示手段により表示される組み合わせ機能設定画面に対する実行指示に基づき前記組み合わせ機能に関する機器の複合機能動作を制御する制御手段と、を有することを特徴とするデータ処理装置。
【請求項２】
前記機能設定画面表示手段は、前記指示手段により指示された機器の機能情報に基づいて、前記機器に関する設定可能な拡張機能の設定部を前記組み合わせ機能設定画面上に表示することを特徴とする請求項１記載のデータ処理装置。
【請求項３】
前記機能設定画面表示手段により表示される機器に関する設定可能な拡張機能の設定部の表示を編集設定する編集手段を設け、
前記機能設定画面表示手段は、前記編集手段の編集結果に基づいて、前記機器に関する設定可能な拡張機能の設定部を前記組み合わせ機能設定画面上に表示することを特徴とする請求項２記載のデータ処理装置。
【請求項４】
前記通信媒体上には、前記データ処理装置と通信可能な他のデータ処理装置が複数接続されていることを特徴とする請求項１〜３のいずれかに記載のデータ処理装置。
【請求項５】
前記複数のデータ処理装置のうち、いずれかのデータ処理装置を管理サーバとして登録可能とすることを特徴とする請求項４記載のデータ処理装置。
【請求項６】
前記管理サーバは、前記機器の拡張構成イメージ資源を記憶管理可能であり、
前記取得手段は、前記管理サーバが管理する機器の拡張機能を含む構成イメージ資源が更新される毎に、管理サーバから送信される前記機器の拡張構成イメージ資源を取得し、
前記管理手段は、前記取得手段により取得された機器の拡張構成イメージ資源を記憶管理することを特徴とする請求項５記載のデータ処理装置。
【請求項７】
前記機器は、プリンタ装置，ファクシミリ装置，デジタル複写機，スキャナ装置，デジタルカメラ装置，モデム装置を含むことを特徴とする請求項１〜６のいずれかに記載のデータ処理装置。
【請求項８】
通信媒体上に接続された各種の機器とデータ通信可能なデータ処理装置におけるデータ処理方法であって、
各種の機器との通信により前記各機器の機能情報並びに接続情報およびステータスを取得する取得工程と、
前記取得工程により取得された前記各機器の機能情報並びに接続情報およびステータスを記憶管理する管理工程と、
前記管理工程において記憶管理される接続情報およびステータスに基づきシステム構成をアイコンで表示部に表示させるシステム表示工程と、
前記表示部に表示された任意のアイコンの組み合わせを指示する指示工程と、
前記指示工程により指示された組み合わせに基づく組み合わせ機能設定画面を表示するとともに、前記指示工程により指示された機器の拡張機能を含む構成イメージを、前記管理工程において記憶管理される機能情報に基づいて前記組み合わせ機能設定画面上に表示する機能設定画面表示工程と、
前記機能設定画面表示工程により表示される組み合わせ機能設定画面に対する実行指示に基づき前記組み合わせ機能に関する機器の複合機能動作を実行する機能実行工程と、を有することを特徴とするデータ処理方法。
【請求項９】
前記機能設定画面表示工程は、前記指示工程により指示された機器の機能情報に基づいて、前記機器に関する設定可能な拡張機能の設定部を前記組み合わせ機能設定画面上に表示することを特徴とする請求項８記載のデータ処理方法。
【請求項１０】
前記機能設定画面表示工程により表示される機器に関する設定可能な拡張機能の設定部の表示を編集設定する編集工程を設け、
前記機能設定画面表示工程は、前記編集工程の編集結果に基づいて、前記機器に関する設定可能な拡張機能の設定部を前記組み合わせ機能設定画面上に表示することを特徴とする請求項９記載のデータ処理方法。
【請求項１１】
前記通信媒体上に前記機器の拡張構成イメージ資源を記憶管理する管理サーバを設け、
前記取得工程は、前記管理サーバが管理する機器の拡張機能を含む構成イメージ資源が更新される毎に、ネットワーク管理サーバから送信される前記機器の拡張構成イメージ資源を取得し、
前記管理工程は、前記取得工程により取得された機器の拡張構成イメージ資源を記憶管理することを特徴とする請求項８〜１０のいずれかに記載のデータ処理方法。
【請求項１２】
前記機器は、プリンタ装置，ファクシミリ装置，デジタル複写機，スキャナ装置，デジタルカメラ装置，モデム装置を含むことを特徴とする請求項８〜１１のいずれかに記載のデータ処理方法。
【請求項１３】
通信媒体上に接続された各種の機器とデータ通信可能なデータ処理装置を制御するコンピュータが読み出し可能なプログラムを格納した記憶媒体であって、
各種の機器との通信により前記各機器の機能情報並びに接続情報およびステータスを取得する取得工程と、
前記取得工程により取得された前記各機器の機能情報並びに接続情報およびステータスを記憶管理する管理工程と、
前記管理工程において記憶管理される接続情報およびステータスに基づきシステム構成をアイコンで表示部に表示させるシステム表示工程と、
前記表示部に表示された任意のアイコンの組み合わせを指示する指示工程と、
前記指示工程により指示された組み合わせに基づく組み合わせ機能設定画面を表示するとともに、前記指示工程により指示された機器の拡張機能を含む構成イメージを、前記管理工程において記憶管理される機能情報に基づいて前記組み合わせ機能設定画面上に表示する機能設定画面表示工程と、
前記機能設定画面表示工程により表示される組み合わせ機能設定画面に対する実行指示に基づき前記組み合わせ機能に関する機器の複合機能動作を実行する機能実行工程と、を有することを特徴とするコンピュータが読み出し可能なプログラムを格納した記憶媒体。
【請求項１４】
前記機能設定画面表示工程は、前記指示工程により指示された機器の機能情報に基づいて、前記機器に関する設定可能な拡張機能の設定部を前記組み合わせ機能設定画面上に表示することを特徴とする請求項１３記載のコンピュータが読み出し可能なプログラムを格納した記憶媒体。
【請求項１５】
前記機能設定画面表示工程により表示される機器に関する設定可能な拡張機能の設定部の表示を編集設定する編集工程を設け、
前記機能設定画面表示工程は、前記編集工程の編集結果に基づいて、前記機器に関する設定可能な拡張機能の設定部を前記組み合わせ機能設定画面上に表示することを特徴とする請求項１４記載のコンピュータが読み出し可能なプログラムを格納した記憶媒体。
【請求項１６】
前記通信媒体上に前記機器の拡張構成イメージ資源を記憶管理する管理サーバを設け、
前記取得工程は、前記管理サーバが管理する機器の拡張機能を含む構成イメージ資源が更新される毎に、ネットワーク管理サーバから送信される前記機器の拡張構成イメージ資源を取得し、
前記管理工程は、前記取得工程により取得された機器の拡張構成イメージ資源を記憶管理することを特徴とする請求項１３〜１５のいずれかに記載のコンピュータが読み出し可能なプログラムを格納した記憶媒体。
【請求項１７】
前記機器は、プリンタ装置，ファクシミリ装置，デジタル複写機，スキャナ装置，デジタルカメラ装置，モデム装置を含むことを特徴とする請求項１３〜１６のいずれかに記載のコンピュータが読み出し可能なプログラムを格納した記憶媒体。
【請求項１８】
遠隔地に設置されている各種の複数の機器と、データ通信路を介して、データ通信可能なデータ処理装置であって、
前記機器の外観を視覚的に表現する為の情報を、前記データ通信路を介して取得する取得手段と、
前記取得手段により取得される前記情報に基づいて、前記機器の外観を視覚的に表現したイメージデータを有す第１イメージデータを、表示装置の表示画面上に表示させる表示制御手段とを有し、
前記複数の機器は、互いに独立して、オプションユニットを接続可能であって、
前記表示制御手段は、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴とするデータ処理装置。
【請求項１９】
前記複数の機器はシート上に画像を形成する画像形成装置を含み、前記オプションユニットはシート処理装置及びシート給送装置の何れかを含むことを特徴とする請求項１８記載のデータ処理装置。
【請求項２０】
前記取得手段より取得される情報は、前記機器にて実行可能な拡張機能に関する情報を含み、
前記表示制御手段は、前記取得手段により取得される前記情報に基づいて、前記表示画面の第１の領域に前記第１イメージデータを表示させると共に、前記機器にて実行可能な前記拡張機能に対応する第１の機能ボタンを前記表示画面の第２の領域に表示させることを特徴とする請求項１８又は１９記載のデータ処理装置。
【請求項２１】
前記表示制御手段は、前記機器にて実行可能な拡張機能が複数存在することに応じて、前記表示画面の前記第２の領域に前記複数の拡張機能の夫々に対応する複数の第１の機能ボタンを配列表示させることを特徴とする請求項２０記載のデータ処理装置。
【請求項２２】
前記表示制御手段は、前記第１の機能ボタンと共に前記データ処理装置にて実行可能な機能に対応する第２の機能ボタンを、前記表示画面の前記第２の領域に配列表示させることを特徴とする請求項２０又は２１記載のデータ処理装置。
【請求項２３】
前記機器は、シート上に画像を形成する画像形成装置を含み、
前記第１の機能ボタンは、ステイプルモード及び両面印刷モード、ページレイアウトモードの何れかのモードを指示するための機能ボタンを少なくとも一つ含むことを特徴とする請求項２０乃至２２記載のデータ処理装置。
【請求項２４】
遠隔地に設置されている各種の複数の機器と、データ通信路を介して、データ通信可能なデータ処理装置の制御方法であって、
前記機器の外観を視覚的に表現する為の情報を、前記データ通信路を介して取得する取得ステップと、
前記取得ステップにて取得される前記情報に基づいて、前記機器の外観を視覚的に表現したイメージデータを有す第１イメージデータを、表示装置の表示画面上に表示させる表示制御ステップとを有し、
前記複数の機器は、互いに独立して、オプションユニットを接続可能であって、
前記表示制御ステップは、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴とするデータ処理装置の制御方法。
【請求項２５】
遠隔地に設置されている各種の複数の機器と、データ通信路を介して、データ通信可能なデータ処理装置に、以下のステップを実行させる為のプログラムを記憶したことを特徴とするコンピュータ読取り可能な記憶媒体であって、
前記機器の外観を視覚的に表現する為の情報を、前記データ通信路を介して取得する取得ステップと、
前記取得ステップにて取得される前記情報に基づいて、前記機器の外観を視覚的に表現したイメージデータを有す第１イメージデータを、表示装置の表示画面上に表示させる表示制御ステップとを有し、
前記複数の機器は、互いに独立して、オプションユニットを接続可能であって、
前記表示制御ステップは、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴コンピュータ読取り可能な記憶媒体。
【請求項２６】
遠隔地に設置されている各種の複数の機器と、データ通信手段を介して、データ通信可能なデータ処理装置であって、
前記複数の機器から何れかの機器を選択する選択手段と、
前記選択手段によって選択された機器において実行可能な機能に関する情報を取得する取得手段と、
前記取得手段によって取得される前記情報に基づいて、表示装置の表示画面の第１の領域に、前記機器にて実行可能な前記機能に対応する機能ボタンを表示させる表示制御手段とを有し、
前記表示制御手段は、前記選択手段によって選択された機器が第１の機能を実行可能であった場合には、該第１の機能に対応する第１の機能ボタンを表示させ、前記選択手段によって選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とするデータ処理装置。
【請求項２７】
前記表示制御手段は、前記機器が複数の拡張機能を有していることに応じて、前記表示画面の前記第１の領域に、前記複数の拡張機能の夫々に対応する複数の第１の機能ボタンを配列表示させることを特徴とする請求項２６記載のデータ処理装置。
【請求項２８】
前記表示画面の前記第１の領域における前記複数の第１の機能ボタンの配列順序を変更可能にする変更手段をさらに有することを特徴とする請求項２７記載のデータ処理装置。
【請求項２９】
前記第１の機能ボタンとして前記表示画面の前記第１の領域に表示可能な拡張機能の候補が複数存在することに応じて、
前記複数の候補の中から前記第１の機能ボタンとして表示すべき候補を選択可能にする選択手段をさらに有することを特徴とする請求項２６乃至２８記載のデータ処理装置。
【請求項３０】
遠隔地に設置されている各種の複数の機器と、データ通信手段を介して、データ通信可能なデータ処理装置の制御方法であって、
前記複数の機器から何れかの機器を選択する選択ステップと、
前記選択ステップにて選択された機器において実行可能な機能に関する情報を取得する取得ステップと、
前記取得ステップにて取得される前記情報に基づいて、表示装置の表示画面の第１の領域に、前記機器にて実行可能な前記機能に対応する機能ボタンを表示させる表示制御ステップとを有し、
前記表示制御ステップは、前記選択ステップにおいて選択された機器が第１の機能を実行可能であった場合には、該第１の機能に対応する第１の機能ボタンを表示させ、前記選択ステップにおいて選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とするデータ処理装置の制御方法。
【請求項３１】
遠隔地に設置されている各種の複数の機器と、データ通信手段を介して、データ通信可能なデータ処理装置に、以下のステップを実行させるためのプログラムを記憶したことを特徴とするコンピュータ読取り可能な記憶媒体であって、
前記複数の機器から何れかの機器を選択する選択ステップと、
前記選択ステップにて選択された機器において実行可能な機能に関する情報を取得する取得ステップと、
前記取得ステップにて取得される前記情報に基づいて、表示装置の表示画面の第１の領域に、前記機器にて実行可能な前記機能に対応する機能ボタンを表示させる表示制御ステップとを有し、
前記表示制御ステップは、前記選択ステップにおいて選択された機器が第１の機能を実行可能であった場合には、該第１の機能に対応する第１の機能ボタンを表示させ、前記選択ステップにおいて選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とするコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、所定の通信媒体上に接続された各種の機器とデータ通信可能なデータ処理装置およびデータ処理方法およびデータ処理装置の制御方法およびコンピュータが読み出し可能なプログラムを格納した記憶媒体に関するものである。


【手続補正４】
【補正対象書類名】明細書
【補正対象項目名】０００４
【補正方法】変更
【補正の内容】
【０００４】
本発明は、上記の問題点を解決するためになされたもので、本発明の第１の目的は、システム構成を表示した状態で、ユーザが意図する複合機能処理のために１組の機器のアイコンが指示された際に、その組み合わせ機能の設定画面を表示するとともに、この設定画面上に、指示された機器の構成イメージを機器に装着されたオプション機器を含めて表示し、該設定画面に対する設定に基づいて対応するそれぞれの機器の組み合わせ動作を制御することにより、機器の拡張機能を視覚的に認識しながら複合機能の拡張機能設定を行って、該設定に従ったデータ処理設定を容易にかつ効率よく行うことができる操作環境を自在に構築することができるデータ処理装置およびデータ処理方法およびデータ処理装置の制御方法およびコンピュータが読み出し可能なプログラムを格納した記憶媒体を提供することである。
また、第２の目的は、取得される情報に基づいて、機器の外観を視覚的に表現したイメージデータを有す第１イメージデータを、表示装置の表示画面上に表示させる場合に、複数の機器が、互いに同一の機能を有す同一タイプの機器である場合でも、オプションユニットが接続されているか否かに応じて、あるいは、接続されているオプションユニットの種類に応じて、表示画面上に表示すべき第１イメージデータの表示形態を各機器毎に異ならせるように制御することにより、表示画面の表示形態から操作する者が複数の機器が、互いに同一の機能を有す同一タイプの機器である場合でも、オプションユニットが接続されているか否かを容易に視認できる操作環境を自在に構築することができるデータ処理装置およびデータ処理方法およびデータ処理装置の制御方法およびコンピュータが読み出し可能なプログラムを格納した記憶媒体を提供することである。
また、第３の目的は、取得される情報に基づいて、表示装置の表示画面の第１の領域に、機器にて実行可能な前記機能に対応する機能ボタンを表示し、選択された機器が第１の機能を実行可能であった場合には、該第１の機能に対応する第１の機能ボタンを表示させ、該選択された機器が第１の機能を実行不可能で、第２の機能を実行可能であった場合には、該第１の機能に対応する第１の機能ボタンは表示せず、該第２の機能に対応する第２の機能ボタンを表示することにより、操作する者は、第１の機能と第２の機能との実行可能性を機能ボタンの表示状態から容易に視認できる操作環境を自在に構築することができるデータ処理装置およびデータ処理方法およびデータ処理装置の制御方法およびコンピュータが読み出し可能なプログラムを格納した記憶媒体を提供することである。


【手続補正５】
【補正対象書類名】明細書
【補正対象項目名】０００５
【補正方法】変更
【補正の内容】
【０００５】
【課題を解決するための手段】
本発明に係る第１の発明は、所定の通信媒体上に接続された各種の機器とデータ通信可能なデータ処理装置であって、各種の機器との通信により前記各機器の機能情報並びに接続情報およびステータスを取得する取得手段と、前記取得手段により取得された前記各機器の機能情報並びに接続情報およびステータスを記憶管理する管理手段と、前記管理手段に記憶管理される接続情報およびステータスに基づきシステム構成をアイコンで表示部に表示させるシステム表示手段と、前記表示部に表示された任意のアイコンの組み合わせを指示する指示手段と、前記指示手段により指示された組み合わせに基づく組み合わせ機能設定画面を表示するとともに、前記指示手段により指示された機器の拡張機能を含む構成イメージを、前記管理手段に記憶管理される機能情報に基づいて前記組み合わせ機能設定画面上に表示する機能設定画面表示手段と、前記機能設定画面表示手段により表示される組み合わせ機能設定画面に対する実行指示に基づき前記組み合わせ機能に関する機器の複合機能動作を制御する制御手段とを有することを特徴とする。


【手続補正６】
【補正対象書類名】明細書
【補正対象項目名】０００６
【補正方法】変更
【補正の内容】
【０００６】
本発明に係る第２の発明は、前記機能設定画面表示手段は、前記指示手段により指示された機器の機能情報に基づいて、前記機器に関する設定可能な拡張機能の設定部を前記組み合わせ機能設定画面上に表示することを特徴とする。


【手続補正７】
【補正対象書類名】明細書
【補正対象項目名】０００７
【補正方法】変更
【補正の内容】
【０００７】
本発明に係る第３の発明は、前記機能設定画面表示手段により表示される機器に関する設定可能な拡張機能の設定部の表示を編集設定する編集手段を設け、前記機能設定画面表示手段は、前記編集手段の編集結果に基づいて、前記機器に関する設定可能な拡張機能の設定部を前記組み合わせ機能設定画面上に表示することを特徴とする。


【手続補正８】
【補正対象書類名】明細書
【補正対象項目名】０００８
【補正方法】変更
【補正の内容】
【０００８】
本発明に係る第４の発明は、前記通信媒体上には、前記データ処理装置と通信可能な他のデータ処理装置が複数接続されていることを特徴とする。


【手続補正９】
【補正対象書類名】明細書
【補正対象項目名】０００９
【補正方法】変更
【補正の内容】
【０００９】
本発明に係る第５の発明は、前記複数のデータ処理装置のうち、いずれかのデータ処理装置を管理サーバとして登録可能とすることを特徴とする。


【手続補正１０】
【補正対象書類名】明細書
【補正対象項目名】００１０
【補正方法】変更
【補正の内容】
【００１０】
本発明に係る第６の発明は、前記管理サーバは、前記機器の拡張構成イメージ資源を記憶管理可能であり、前記取得手段は、前記管理サーバが管理する機器の拡張機能を含む構成イメージ資源が更新される毎に、管理サーバから送信される前記機器の拡張構成イメージ資源を取得し、前記管理手段は、前記取得手段により取得された機器の拡張構成イメージ資源を記憶管理することを特徴とする。


【手続補正１１】
【補正対象書類名】明細書
【補正対象項目名】００１１
【補正方法】変更
【補正の内容】
【００１１】
本発明に係る第７の発明は、前記機器は、プリンタ装置，ファクシミリ装置，デジタル複写機，スキャナ装置，デジタルカメラ装置，モデム装置を含むことを特徴とする。


【手続補正１２】
【補正対象書類名】明細書
【補正対象項目名】００１２
【補正方法】変更
【補正の内容】
【００１２】
本発明に係る第８の発明は、通信媒体上に接続された各種の機器とデータ通信可能なデータ処理装置におけるデータ処理方法であって、各種の機器との通信により前記各機器の機能情報並びに接続情報およびステータスを取得する取得工程と、前記取得工程により取得された前記各機器の機能情報並びに接続情報およびステータスを記憶管理する管理工程と、前記管理工程において記憶管理される接続情報およびステータスに基づきシステム構成をアイコンで表示部に表示させるシステム表示工程と、前記表示部に表示された任意のアイコンの組み合わせを指示する指示工程と、前記指示工程により指示された組み合わせに基づく組み合わせ機能設定画面を表示するとともに、前記指示工程により指示された機器の拡張機能を含む構成イメージを、前記管理工程において記憶管理される機能情報に基づいて前記組み合わせ機能設定画面上に表示する機能設定画面表示工程と、前記機能設定画面表示工程により表示される組み合わせ機能設定画面に対する実行指示に基づき前記組み合わせ機能に関する機器の複合機能動作を実行する機能実行工程とを有することを特徴とする。


【手続補正１３】
【補正対象書類名】明細書
【補正対象項目名】００１３
【補正方法】変更
【補正の内容】
【００１３】
本発明に係る第９の発明は、前記機能設定画面表示工程は、前記指示工程により指示された機器の機能情報に基づいて、前記機器に関する設定可能な拡張機能の設定部を前記組み合わせ機能設定画面上に表示することを特徴とする。


【手続補正１４】
【補正対象書類名】明細書
【補正対象項目名】００１４
【補正方法】変更
【補正の内容】
【００１４】
本発明に係る第１０の発明は、前記機能設定画面表示工程により表示される機器に関する設定可能な拡張機能の設定部の表示を編集設定する編集工程を設け、前記機能設定画面表示工程は、前記編集工程の編集結果に基づいて、前記機器に関する設定可能な拡張機能の設定部を前記組み合わせ機能設定画面上に表示することを特徴とする。


【手続補正１５】
【補正対象書類名】明細書
【補正対象項目名】００１５
【補正方法】変更
【補正の内容】
【００１５】
本発明に係る第１１の発明は、前記通信媒体上に前記機器の拡張構成イメージ資源を記憶管理する管理サーバを設け、前記取得工程は、前記管理サーバが管理する機器の拡張機能を含む構成イメージ資源が更新される毎に、ネットワーク管理サーバから送信される前記機器の拡張構成イメージ資源を取得し、前記管理工程は、前記取得工程により取得された機器の拡張構成イメージ資源を記憶管理することを特徴とする。


【手続補正１６】
【補正対象書類名】明細書
【補正対象項目名】００１６
【補正方法】変更
【補正の内容】
【００１６】
本発明に係る第１２の発明は、前記機器は、プリンタ装置，ファクシミリ装置，デジタル複写機，スキャナ装置，デジタルカメラ装置，モデム装置を含むことを特徴とする。


【手続補正１７】
【補正対象書類名】明細書
【補正対象項目名】００１７
【補正方法】変更
【補正の内容】
【００１７】
本発明に係る第１３の発明は、通信媒体上に接続された各種の機器とデータ通信可能なデータ処理装置を制御するコンピュータが読み出し可能なプログラムを格納した記憶媒体であって、各種の機器との通信により前記各機器の機能情報並びに接続情報およびステータスを取得する取得工程と、前記取得工程により取得された前記各機器の機能情報並びに接続情報およびステータスを記憶管理する管理工程と、前記管理工程において記憶管理される接続情報およびステータスに基づきシステム構成をアイコンで表示部に表示させるシステム表示工程と、前記表示部に表示された任意のアイコンの組み合わせを指示する指示工程と、前記指示工程により指示された組み合わせに基づく組み合わせ機能設定画面を表示するとともに、前記指示工程により指示された機器の拡張機能を含む構成イメージを、前記管理工程において記憶管理される機能情報に基づいて前記組み合わせ機能設定画面上に表示する機能設定画面表示工程と、前記機能設定画面表示工程により表示される組み合わせ機能設定画面に対する実行指示に基づき前記組み合わせ機能に関する機器の複合機能動作を実行する機能実行工程とをコンピュータが読み出し可能なプログラムを記憶媒体に格納したしたことを特徴とする。


【手続補正１８】
【補正対象書類名】明細書
【補正対象項目名】００１８
【補正方法】変更
【補正の内容】
【００１８】
本発明に係る第１４の発明は、前記機能設定画面表示工程は、前記指示工程により指示された機器の機能情報に基づいて、前記機器に関する設定可能な拡張機能の設定部を前記組み合わせ機能設定画面上に表示することを特徴とする。


【手続補正１９】
【補正対象書類名】明細書
【補正対象項目名】００１９
【補正方法】変更
【補正の内容】
【００１９】
本発明に係る第１５の発明は、前記機能設定画面表示工程により表示される機器に関する設定可能な拡張機能の設定部の表示を編集設定する編集工程を設け、前記機能設定画面表示工程は、前記編集工程の編集結果に基づいて、前記機器に関する設定可能な拡張機能の設定部を前記組み合わせ機能設定画面上に表示することを特徴とする。


【手続補正２０】
【補正対象書類名】明細書
【補正対象項目名】００２０
【補正方法】変更
【補正の内容】
【００２０】
本発明に係る第１６の発明は、前記通信媒体上に前記機器の拡張構成イメージ資源を記憶管理する管理サーバを設け、前記取得工程は、前記管理サーバが管理する機器の拡張機能を含む構成イメージ資源が更新される毎に、ネットワーク管理サーバから送信される前記機器の拡張構成イメージ資源を取得し、前記管理工程は、前記取得工程により取得された機器の拡張構成イメージ資源を記憶管理することを特徴とするコンピュータが読み出し可能なプログラムを記憶媒体に格納したことを特徴とする。


【手続補正２１】
【補正対象書類名】明細書
【補正対象項目名】００２１
【補正方法】変更
【補正の内容】
【００２１】
本発明に係る第１７の発明は、前記機器は、プリンタ装置，ファクシミリ装置，デジタル複写機，スキャナ装置，デジタルカメラ装置，モデム装置を含むことを特徴とするコンピュータが読み出し可能なプログラムを記憶媒体に格納したことを特徴とする。
本発明に係る第１８の発明は、遠隔地に設置されている各種の複数の機器と、データ通信路を介して、データ通信可能なデータ処理装置であって、前記機器の外観を視覚的に表現する為の情報を、前記データ通信路を介して取得する取得手段と、前記取得手段により取得される前記情報に基づいて、前記機器の外観を視覚的に表現したイメージデータを有す第１イメージデータを、表示装置の表示画面上に表示させる表示制御手段とを有し、前記複数の機器は、互いに独立して、オプションユニットを接続可能であって、前記表示制御手段は、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴とする。
本発明に係る第１９の発明は、前記複数の機器はシート上に画像を形成する画像形成装置を含み、前記オプションユニットはシート処理装置及びシート給送装置の何れかを含むことを特徴とする。
本発明に係る第２０の発明は、前記取得手段より取得される情報は、前記機器にて実行可能な拡張機能に関する情報を含み、前記表示制御手段は、前記取得手段により取得される前記情報に基づいて、前記表示画面の第１の領域に前記第１イメージデータを表示させると共に、前記機器にて実行可能な前記拡張機能に対応する第１の機能ボタンを前記表示画面の第２の領域に表示させることを特徴とする。
本発明に係る第２１の発明は、前記表示制御手段は、前記機器にて実行可能な拡張機能が複数存在することに応じて、前記表示画面の前記第２の領域に前記複数の拡張機能の夫々に対応する複数の第１の機能ボタンを配列表示させることを特徴とする。
本発明に係る第２２の発明は、前記表示制御手段は、前記第１の機能ボタンと共に前記データ処理装置にて実行可能な機能に対応する第２の機能ボタンを、前記表示画面の前記第２の領域に配列表示させることを特徴とする。
本発明に係る第２３の発明は、前記機器は、シート上に画像を形成する画像形成装置を含み、前記第１の機能ボタンは、ステイプルモード及び両面印刷モード、ページレイアウトモードの何れかのモードを指示するための機能ボタンを少なくとも一つ含むことを特徴とする。
本発明に係る第２４の発明は、遠隔地に設置されている各種の複数の機器と、データ通信路を介して、データ通信可能なデータ処理装置の制御方法であって、前記機器の外観を視覚的に表現する為の情報を、前記データ通信路を介して取得する取得ステップと、前記取得ステップにて取得される前記情報に基づいて、前記機器の外観を視覚的に表現したイメージデータを有す第１イメージデータを、表示装置の表示画面上に表示させる表示制御ステップとを有し、前記複数の機器は、互いに独立して、オプションユニットを接続可能であって、前記表示制御ステップは、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴とする。
本発明に係る第２５の発明は、遠隔地に設置されている各種の複数の機器と、データ通信路を介して、データ通信可能なデータ処理装置に、以下のステップを実行させる為のプログラムを記憶したことを特徴とするコンピュータ読取り可能な記憶媒体であって、前記機器の外観を視覚的に表現する為の情報を、前記データ通信路を介して取得する取得ステップと、前記取得ステップにて取得される前記情報に基づいて、前記機器の外観を視覚的に表現したイメージデータを有す第１イメージデータを、表示装置の表示画面上に表示させる表示制御ステップとを有し、前記複数の機器は、互いに独立して、オプションユニットを接続可能であって、前記表示制御ステップは、前記複数の機器が、互いに同一の機能を有す同一タイプの機器である場合でも、オプションユニットが接続されているか否かに応じて、あるいは、接続されているオプションユニットの種類に応じて、前記表示画面上に表示すべき前記第１イメージデータの表示形態を各機器毎に異ならせるように制御することを特徴とする。
本発明に係る第２６の発明は、遠隔地に設置されている各種の複数の機器と、データ通信手段を介して、データ通信可能なデータ処理装置であって、前記複数の機器から何れかの機器を選択する選択手段と、前記選択手段によって選択された機器において実行可能な機能に関する情報を取得する取得手段と、前記取得手段によって取得される前記情報に基づいて、表示装置の表示画面の第１の領域に、前記機器にて実行可能な前記機能に対応する機能ボタンを表示させる表示制御手段とを有し、前記表示制御手段は、前記選択手段によって選択された機器が第１の機能を実行可能であった場合には、該第１の機能に対応する第１の機能ボタンを表示させ、前記選択手段によって選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とする。
本発明に係る第２７の発明は、前記表示制御手段は、前記機器が複数の拡張機能を有していることに応じて、前記表示画面の前記第１の領域に、前記複数の拡張機能の夫々に対応する複数の第１の機能ボタンを配列表示させることを特徴とする。
本発明に係る第２８の発明は、前記表示画面の前記第１の領域における前記複数の第１の機能ボタンの配列順序を変更可能にする変更手段をさらに有することを特徴とする。
本発明に係る第２９の発明は、前記第１の機能ボタンとして前記表示画面の前記第１の領域に表示可能な拡張機能の候補が複数存在することに応じて、前記複数の候補の中から前記第１の機能ボタンとして表示すべき候補を選択可能にする選択手段をさらに有することを特徴とする。
本発明に係る第３０の発明は、遠隔地に設置されている各種の複数の機器と、データ通信手段を介して、データ通信可能なデータ処理装置の制御方法であって、前記複数の機器から何れかの機器を選択する選択ステップと、前記選択ステップにて選択された機器において実行可能な機能に関する情報を取得する取得ステップと、前記取得ステップにて取得される前記情報に基づいて、表示装置の表示画面の第１の領域に、前記機器にて実行可能な前記機能に対応する機能ボタンを表示させる表示制御ステップとを有し、前記表示制御ステップは、前記選択ステップにおいて選択された機器が第１の機能を実行可能であった場合には、該第１の機能に対応する第１の機能ボタンを表示させ、前記選択ステップにおいて選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とする。
本発明に係る第３１の発明は、遠隔地に設置されている各種の複数の機器と、データ通信手段を介して、データ通信可能なデータ処理装置に、以下のステップを実行させるためのプログラムを記憶したことを特徴とするコンピュータ読取り可能な記憶媒体であって、前記複数の機器から何れかの機器を選択する選択ステップと、前記選択ステップにて選択された機器において実行可能な機能に関する情報を取得する取得ステップと、前記取得ステップにて取得される前記情報に基づいて、表示装置の表示画面の第１の領域に、前記機器にて実行可能な前記機能に対応する機能ボタンを表示させる表示制御ステップとを有し、前記表示制御ステップは、前記選択ステップにおいて選択された機器が第１の機能を実行可能であった場合には、該第１の機能に対応する第１の機能ボタンを表示させ、前記選択ステップにおいて選択された機器が前記第１の機能を実行不可能で、第２の機能を実行可能であった場合には、該第１の機能に対応する第１の機能ボタンは表示せず、該第２の機能に対応する第２の機能ボタンを表示することを特徴とする。


【手続補正２２】
【補正対象書類名】明細書
【補正対象項目名】０３４３
【補正方法】変更
【補正の内容】
【０３４３】
以上説明したように、本発明によれば、システム構成を表示した状態で、ユーザが意図する複合機能処理のために１組の周辺機器のアイコンが指示された際に、その組み合わせ機能の設定画面を表示するとともに、この設定画面上に、指示された周辺機器の構成イメージを周辺機器に装着されたオプション機器を含めて表示し、該設定画面に対する設定に基づいて対応するそれぞれの周辺機器の組み合わせ動作を制御するので、組み合わせ機能の設定画面上においても、周辺機器のオプション機器の装着状態を視覚的に認識しながら複合機能の設定を容易にかつ効率よく行うことができ、また周辺機器に関する設定可能な拡張機能の設定ボタンを自由な配列で設定画面上に表示するので、周辺機器に関する拡張機能設定を容易にかつ効率良く行うことができ、さらに管理サーバより周辺機器の構成イメージ資源であるリソースファイルを取得するので、メーカにより新たな機器（オプション機器を含む）が追加された場合でも、このリソースファイルを管理サーバにインストールするだけで、ネットワーク上の全てのクライアントマシンにインストールするという煩雑な作業を行うことなく、ネットワーク上の全てのクライアントマシンで、この新たな機器（オプション機器を含む）に対応する構成イメージの表示を行うことができる。
また、取得される情報に基づいて、機器の外観を視覚的に表現したイメージデータを有す第１イメージデータを、表示装置の表示画面上に表示させる場合に、複数の機器が、互いに同一の機能を有す同一タイプの機器である場合でも、オプションユニットが接続されているか否かに応じて、あるいは、接続されているオプションユニットの種類に応じて、表示画面上に表示すべき第１イメージデータの表示形態を各機器毎に異ならせるように制御するので、表示画面の表示形態から操作する者が複数の機器が、互いに同一の機能を有す同一タイプの機器である場合でも、オプションユニットが接続されているか否かを容易に視認できる操作環境を自在に構築することができる。
さらに、取得される情報に基づいて、表示装置の表示画面の第１の領域に、機器にて実行可能な前記機能に対応する機能ボタンを表示し、選択された機器が第１の機能を実行可能であった場合には、該第１の機能に対応する第１の機能ボタンを表示させ、該選択された機器が第１の機能を実行不可能で、第２の機能を実行可能であった場合には、該第１の機能に対応する第１の機能ボタンは表示せず、該第２の機能に対応する第２の機能ボタンを表示するので、操作する者は、第１の機能と第２の機能との実行可能性を機能ボタンの表示状態から容易に視認できる操作環境を自在に構築することができる。